(57)【要約】【課題】照明装置を梱包する梱包材の使用量を低減させることができる照明装置を提供すること。【解決手段】平板状をなすベース部２と、ベース部２に支持されるアーム部３と、アーム部３に支持される照光部４と、を備える照明装置１であって、アーム部３がベース部２に対して回動可能に枢支されるとともに、照光部４がアーム部３に対して回動可能に枢支され、アーム部３がベース部２から立設されて照光部４がアーム部３により支持される使用状態と、アーム部３と照光部４とが折り畳まれて、アーム部３と照光部４とがベース部２の厚み内に収まる収納状態と、に切り換え可能となっている。【選択図】図１
2011044363.tif 000002
【特許請求の範囲】
【請求項１】
平板状をなすベース部と、該ベース部に支持されるアーム部と、該アーム部に支持される照光部と、を備える照明装置であって、
前記アーム部が前記ベース部に対して回動可能に枢支されるとともに、前記照光部が前記アーム部に対して回動可能に枢支され、前記アーム部が前記ベース部から立設されて前記照光部が前記アーム部により支持される使用状態と、前記アーム部と前記照光部とが折り畳まれて、前記アーム部と前記照光部とが前記ベース部の厚み内に収まる収納状態と、に切り換え可能となっていることを特徴とする照明装置。
【請求項２】
前記ベース部は、略四角形状に形成されているとともに、前記収納状態における前記アーム部の少なくとも一部は、前記ベース部の辺縁に沿って配置されることを特徴とする請求項１に記載の照明装置。
【請求項３】
前記照明装置の角部は、略円弧状に形成されていることを特徴とする請求項１または２に記載の照明装置。
【請求項４】
前記アーム部と前記照光部とは、略円筒形状に形成されることを特徴とする請求項１ないし３のいずれかに記載の照明装置。
【請求項５】
前記ベース部には、前記照光部に電力を供給する電機部材が収納されており、該電機部材により前記使用状態における前記照明装置の重心が、前記ベース部に配置されることを特徴とする請求項１ないし４のいずれかに記載の照明装置。
【発明の詳細な説明】
【技術分野】
【０００１】
本発明は、平板状をなすベース部と、該ベース部に支持されるアーム部と、該アーム部に支持される照光部と、を備える照明装置に関する。
【背景技術】
【０００２】
従来、机の上面等の設置面に設置される円板状（平板状）のベースと、ベースの一端に固定されている本体と、本体の上端部で一端が枢支されているアームと、照光を行うためのランプを収納してアームの他端で枢支されている灯部（照光部）と、から構成されるスタンド型照明器具（照明装置）がある。このスタンド型照明器具は、アームを設置面に対して垂直に起立させ、灯部をアームに沿わせて折り畳むことで本体前部と灯部とを略面一となるように配置して、スタンド型照明器具を小さく折り畳んだ収納状態とすることができる（例えば、特許文献１参照）。
【先行技術文献】
【特許文献】
【０００３】
【特許文献１】特開２００９−８７７６６号公報（第７頁、第９図）
【発明の概要】
【発明が解決しようとする課題】
【０００４】
しかしながら、特許文献１に記載のスタンド型照明器具にあっては、スタンド型照明器具（照明装置）を収納状態にしても、本体やアームや灯部（照光部）よりもベースが正面側に向かって突出されており、この収納状態でスタンド型照明器具を段ボール等の梱包材を用いて梱包しようとすると、梱包材の形状を容積が大きな箱形状にせざるを得ず、梱包材の使用量が嵩んでしまうという問題がある。特に近年、エコロジーの観点からこれら梱包材の使用量を低減させたいという消費者の要望がある。
【０００５】
本発明は、このような問題点に着目してなされたもので、照明装置を梱包する梱包材の使用量を低減させることができる照明装置を提供することを目的とする。
【課題を解決するための手段】
【０００６】
前記課題を解決するために、本発明の照明装置は、
平板状をなすベース部と、該ベース部に支持されるアーム部と、該アーム部に支持される照光部と、を備える照明装置であって、
前記アーム部が前記ベース部に対して回動可能に枢支されるとともに、前記照光部が前記アーム部に対して回動可能に枢支され、前記アーム部が前記ベース部から立設されて前記照光部が前記アーム部により支持される使用状態と、前記アーム部と前記照光部とが折り畳まれて、前記アーム部と前記照光部とが前記ベース部の厚み内に収まる収納状態と、に切り換え可能となっていることを特徴としている。
この特徴によれば、照明装置を使用状態から収納状態に切り換えると、アーム部と照光部とがベース部の厚み内に収まって照明装置全体が平板状となり、この収納状態の照明装置を梱包する際に、梱包材の形状を容積が小さな平らな箱形状とすることができ、照明装置を梱包する梱包材の使用量を低減させることができる。
【０００７】
本発明の照明装置は、
前記ベース部は、略四角形状に形成されているとともに、前記収納状態における前記アーム部の少なくとも一部は、前記ベース部の辺縁に沿って配置されることを特徴としている。
この特徴によれば、収納状態における照明装置をコンパクトに折り畳んだ形態にすることができ、照明装置を梱包するための梱包材の使用量を低減させることができる。
【０００８】
本発明の照明装置は、
前記照明装置の角部は、略円弧状に形成されていることを特徴としている。
この特徴によれば、照明装置が梱包材によって梱包された際に、照明装置の円弧状に丸みをおびた角部が梱包材に当接しても、この角部が梱包材を貫通して破損させる虞がなくなり、梱包材を薄く形成できるようになり、梱包材の使用量を低減させることができる。
【０００９】
本発明の照明装置は、
前記アーム部と前記照光部とは、略円筒形状に形成されることを特徴としている。
この特徴によれば、円筒形状をなすアーム部や照光部は、角柱形状である場合と比較して強度が維持されるようになっており、この強度を維持しながら照明装置を軽量化すること可能となり、この軽量化により多数の照明装置を車両等で大量輸送する場合などに輸送にかかる燃費を低減させることができる。
【００１０】
本発明の照明装置は、
前記ベース部には、前記照光部に電力を供給する電機部材が収納されており、該電機部材により前記使用状態における前記照明装置の重心が、前記ベース部に配置されることを特徴としている。
この特徴によれば、ベース部に収納された電機部材が重しとなって照明装置が転倒することを防ぐことができる。
【図面の簡単な説明】
【００１１】
【図１】実施例１における使用状態の照明装置を示す斜視図である。
【図２】収納状態の照明装置を示す平面図である。
【図３】照明装置を示す図２におけるＡ−Ａ断面図である。
【図４】実施例２における収納状態の照明装置を示す平面図である。
【図５】実施例３における収納状態の照明装置を示す平面図である。
【発明を実施するための形態】
【００１２】
本発明に係る照明装置を実施するための形態を実施例に基づいて以下に説明する。
【実施例１】
【００１３】
実施例１に係る照明装置につき、図１から図３を参照して説明する。以下、図１の紙面手前側を照明装置の正面側（前方側）とし、図２の紙面下側を照明装置の正面側（前方側）とし、図３の紙面左側を照明装置の正面側（前方側）とし、図２の紙面右側を照明装置の右側とし、図３の紙面手前側を照明装置の右側として説明する。
【００１４】
図１の符号１は、本発明の適用された照明装置である。この照明装置１は、例えば、机の天板等に配置され、机上の照明として使用される電気スタンドである。
【００１５】
図１に示すように、この照明装置１は、机の天板等に配置されるベース部２と、ベース部２に支持されるアーム部３と、アーム部３に支持される照光部４と、から構成されている。これらベース部２とアーム部３と照光部４とは、主にアルミ材等の軽金属材料で形成されている。
【００１６】
図２に示すように、ベース部２は平面視で略四角形をなす平板状に形成されている。このベース部２の上面には、後述する照光部４に設けられた光源５を点灯・消灯させるためのスイッチ２ａが設けられている。ベース部２の底面には、机の上面等に配置された照明装置１の位置ずれを防止するために、複数のゴム材等で構成されたストッパー６が取り付けられている（図３参照）。
【００１７】
また、ベース部２の上面と底面を除く４辺の側面は、ベース部２の外側方に向けて膨出するように側面視で略円弧状の湾曲面に形成されているとともに、ベース部２の正面側の左右端部と背面側の右端部の３つの角部２ｂは、ベース部２の側面同士が連続して平面視で略円弧形状をなすように形成されている。
【００１８】
更に、ベース部２は、特に図示しないが屋内のコンセント等に接続可能な給電ケーブルを備えているとともに、ベース部２内には、この給電ケーブルに接続されたＡＣアダプターや点灯回路からなる電機部材７が内蔵されている。
【００１９】
この電機部材７は、ベース部２の上面に設けられたスイッチ２ａと後述する光源５とに接続されており、照明装置１の使用者がスイッチ２ａを操作することで、給電ケーブルから得られた電力を光源５に出力するようになっている。尚、電機部材７は、給電ケーブルから得られた電力の電流・電圧を調整するための各種回路を備えており、光源５を最適な電力で点灯させている。
【００２０】
ベース部２の背面の左側端部には、背面側に向かって突出部２ｃが設けられており、アーム部３の一端がこの突出部２ｃに取り付けられている。図３に示すように、アーム部３は、長手方向に内部が貫通形成された円筒形状に形成されている。
【００２１】
そして、図２に示すように、このアーム部３の長手方向の両端部は、略円弧状に屈曲された角部３ａ，３ｂに形成されており、アーム部３の基端側の角部３ａは、ベース部２の突出部２ｃに背面側から回動可能に枢着されている。このアーム部３の基端側の角部３ａの枢軸は水平方向を向き、アーム部３は垂直方向に回動されるようになっている。
【００２２】
一方、アーム部３の先端側の角部３ｂには、照光部４が取り付けられている。この照光部４は、一端が略円弧状に屈曲された角部４ｂに形成されているとともに、照光部４の長手方向の他端は、半球状に形成された先端部４ｃとなっている。
【００２３】
照光部４の基端側の角部４ｂがアーム部３の先端側の角部３ｂの端部に正面側から回動可能に枢着されている。この照光部４の基端側の角部４ｂの枢軸は水平方向を向き、照光部４は垂直方向に回動されるようになっている。
【００２４】
また、照光部４内には、蛍光灯等により構成された光源５が配置されており、この光源５は、アーム部３内に挿通された配線８を介してベース部２内の電機部材７に接続されている（図３参照）。
【００２５】
更に、図２に示すように、照光部４には、照光部４の外方に向けて開口する開口部４ａが長手方向の略全長に渡って形成されており、光源５は、この開口部４ａを介して机上等に照明光を照射できるようになっている。尚、図３に示すように、アーム部３と照光部４とは、略円筒形状をなしており、その直径は、ベース部２の厚みと略同寸に形成されている。
【００２６】
図１に示すように、照明装置１は、ベース部２に対してアーム部３を回動させることでアーム部３を立設させるとともに、アーム部３に対して照光部４を回動させることで照光部４をアーム部３から略水平に支持させ、机上等を照らす使用状態とすることができる。この使用状態における照明装置１では、ベース部２内の電機部材７が重りとして作用し、アーム部３と照光部４との回動角度に拘わらず、ベース部２に照明装置１の重心が配置されるようになっている。
【００２７】
一方、図２及び図３に示すように、照明装置１は、図１に示す使用状態からベース部２に対してアーム部３を回動させるとともに、アーム部３に対して照光部４を回動させることで、アーム部３と照光部４とをベース部２の背面の辺縁に配置させ、アーム部３と照光部４とをベース部２の厚み内に収まる収納状態とすることができる。
【００２８】
この収納状態における照明装置１の照光部４は、ベース部２とアーム部３との間に配置されるとともに、アーム部３と照光部４との先端部３ｂ，４ｃは、ベース部２の上面と略同一の高さを保つように配置される。
【００２９】
そのため、収納状態における照明装置１は、ベース部２の上面とアーム部３及び照光部４との上端部が略面一となる平板状に形成されるため、照明装置１を梱包する段ボール箱等の梱包材９は、内寸が収納状態の照明装置１と略同寸の直方体形状とすることができる。
【００３０】
尚、図２に示すように、照明装置１が収納された梱包材９内には空隙が形成されており、この空隙には、照明装置１のスペア部品や給電ケーブル等の付属品を納めた箱体１０が収納されている。
【００３１】
この箱体１０は、梱包材９と同様に段ボール等で構成されており、梱包材９内に収納された照明装置１の揺動を抑える緩衝材としての機能をも備えている。そのため、梱包材９内に収納された照明装置１は、車両等で輸送される際に、車両等の振動によって梱包材９内で揺動されることが抑制され、光源５や電機部材７の破損を防止される。
【００３２】
以上、本実施例における照明装置１は、平板状をなすベース部２と、ベース部２に支持されるアーム部３と、アーム部３に支持される照光部４と、を備える照明装置１であって、アーム部３がベース部２に対して回動可能に枢支されるとともに、照光部４がアーム部３に対して回動可能に枢支され、アーム部３がベース部２から立設されて照光部４がアーム部３により支持される使用状態と、アーム部３と照光部４とが折り畳まれて、アーム部３と照光部４とがベース部２の厚み内に収まる収納状態と、に切り換え可能となっていることで、照明装置１を使用状態から収納状態に切り換えると、アーム部３と照光部４とがベース部２の厚み内に収まって照明装置１全体が平板状となり、この収納状態の照明装置１を梱包する際に、梱包材９の形状を容積が小さな平らな箱形状とすることができ、照明装置１を梱包する梱包材９の使用量を低減させることができる。
【００３３】
また、ベース部は、略四角形状に形成されているとともに、収納状態におけるアーム部３の少なくとも一部は、ベース部２の辺縁に沿って配置されることで、収納状態における照明装置１をコンパクトに折り畳んだ形態にすることができ、照明装置１を梱包するための梱包材９の使用量を低減させることができる。
【００３４】
また、ベース部２の３つの角部２ｂ及びアーム部３の角部３ａ，３ｂと照光部４の角部４ｂとは、略円弧状に形成されていることで、照明装置１が梱包材９によって梱包された際に、照明装置１の円弧状に丸みをおびたベース部２の３つの角部２ｂ及びアーム部３の角部３ａ，３ｂと照光部４の角部４ｂとが梱包材９に当接しても、これらベース部２の３つの角部２ｂ及びアーム部３の角部３ａ，３ｂと照光部４の角部４ｂとが梱包材９を貫通して破損させる虞がなくなり、梱包材９を薄く形成できるようになり、梱包材９の使用量を低減させることができる。
【００３５】
また、アーム部３と照光部４とは、略円筒形状に形成されることで、円筒形状をなすアーム部３や照光部４は、角柱形状である場合と比較して強度が維持されるようになっており、この強度を維持しながら照明装置１を軽量化すること可能となり、この軽量化により多数の照明装置１を車両等で大量輸送する場合などに輸送にかかる燃費を低減させることができる。
【００３６】
また、ベース部２には、照光部４に電力を供給する電機部材７が収納されており、電機部材７により使用状態における照明装置１の重心が、ベース部２に配置されることで、ベース部２に収納された電機部材７が重しとなって照明装置１が転倒することを防ぐことができる。
【実施例２】
【００３７】
次に、実施例２に係る照明装置１’につき、図４を参照して説明する。尚、前記実施例に示される構成部分と同一構成部分に付いては同一符号を付して重複する説明を省略する。以下、図４の紙面下側を照明装置１’の正面側（前方側）とし、図４の紙面右側を照明装置１’の右側として説明する。
【００３８】
図４に示すように、実施例２における照明装置１’の照光部４は直線状に形成されている。この照光部４は、長手方向を照明装置１’の前後方向に向けた状態で、長手方向の一端がアーム部３の先端側の角部３ｂに取り付けられている。そのため、収納状態における照明装置１’は、アーム部３がベース部２の背面の辺縁に配置されるとともに、照光部４がベース部２の右側面の辺縁に配置される。
【００３９】
尚、特に図示しないが、照光部４の一端がアーム部３の先端側の角部３ｂに取り付けられる際に、照光部４が水平方向を向く枢軸によってアーム部３の先端側の角部３ｂに枢支されることで、照光部４が、その周方向に回動可能となることが望ましい。このようにすることで、使用状態となった照明装置１において、照光部４を周方向に回動させることで、照光部４の照光の範囲を適宜調整可能とすることができる。
【実施例３】
【００４０】
次に、実施例３に係る照明装置１’’につき、図５を参照して説明する。尚、前記実施例に示される構成部分と同一構成部分に付いては同一符号を付して重複する説明を省略する。以下、図５の紙面下側を照明装置１’’の正面側（前方側）とし、図３の紙面右側を照明装置１’’の右側として説明する。
【００４１】
図５に示すように、実施例３における照明装置１’’は、アーム部３と照光部４との間に第２アーム部１１を備えている。この第２アーム部１１は、アーム部３と同一の直径を有する円筒形状に形成されており、その長手方向の一端をアーム部３の先端側の角部３ｂに枢支されている。また、第２アーム部１１の先端側は、略円弧状に屈曲した角部１１ａに形成されており、この第２アーム部１１の角部１１ａには、照光部４の一端が枢支されている。
【００４２】
そのため、収納状態における照明装置１’’は、アーム部３がベース部２の背面の辺縁に配置されるとともに、第２アーム部１１がベース部２の側面の辺縁に配置され、照光部４がベース部２の正面の辺縁に配置される。
【００４３】
尚、特に図示しないが、第２アーム部１１の一端がアーム部３の先端側の角部３ｂに枢着される際に、第２アーム部１１を水平方向を向く枢軸によって、アーム部３の先端側の角部３ｂに枢支されるようにし、第２アーム部１１を周方向に回動可能とすることが望ましい。このようにすることで、使用状態となった照明装置１において、第２アーム部１１を周方向に回動させることができ、かつ照光部４を周方向に回動させることで、照光部４の照光の範囲を適宜調整可能とすることができる。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前記実施例では、照光部４内に蛍光灯等の光源５を配置し、この光源５の発光により照明装置１を机上の照明として使用したが、光源５は蛍光灯に限らずＬＥＤランプや冷陰極管等であってもよい。
【００４６】
また、前記実施例では、照明装置１を収納状態として梱包材９内に収納したが、輸送中の光源５の破損を防ぐため、照光部４のみにエアクッション等の梱包材を別途巻きつけるようにし、光源５を衝撃から保護するようにしてもよい。
【００４７】
また、前記実施例では、ベース部２が平面視で略四角形をなす平板状に形成されているが、ベース部２は平板状をなす形状であればどのような形状でもよく、例えば、平面視で略円形状や略三角形状をなすベース部であってもよい。
【符号の説明】
【００４８】
１                照明装置
２                ベース部
２ｂ              角部
３                アーム部
３ａ，３ｂ        角部
４                照光部
４ｂ              角部
７                電機部材
９                梱包材
【図１】
2011044363.tif 000003
【図２】
2011044363.tif 000004
【図３】
2011044363.tif 000005
【図４】
2011044363.tif 000006
【図５】
2011044363.tif 000007